(57)【要約】【課題】ＤＶＤディスク等よりも安価なＣＤにより高画質の動画像データを保存することができる画像記録媒体作成システムと、これにより作成される画像記録媒体を提供する。【解決手段】メモリーカード１０７に記録されているＪＰＥＧ静止画像データｊｐｇを読み出し、当該ＪＰＥＧ画像データｊｐｇに基づく静止画像を一つのフレームとして、当該フレームと画像が同一のフレームを連続的に表示するような動画の動画像データを作成する。そして、この動画像データをＣＤレコーダ１１１により、このＣＤレコーダ１１１に挿入されＣＤ−Ｒ１１４に記録する。ＣＤ−Ｒ１１４に記録される動画像データは、ＭＥＰＧ方式に準拠する方法により圧縮されたＭＰＥＧ動画像データであり、ＭＰＥＧ動画像データに基づく動画像は、個々のフレームの静止画像の解像度が４８０×７０４ドットとなるものである。【選択図】        図１
2004193772.tif 000002
【特許請求の範囲】
【請求項１】
ＪＰＥＧ方式に準拠する圧縮方式にて圧縮されたＪＰＥＧ静止画像データを、外部機器から読み込む静止画像データ読み込み手段と、
前記ＪＰＥＧ静止画像データに基づく静止画像を一つのフレームとして、当該フレームと画像が同一のフレームが少なくとも一定期間連続的に表示されるような動画の動画像データを、前記ＪＰＥＧ静止画像データから作成する動画像データ作成手段と、
作成された前記動画像データを画像記録媒体としてのコンパクトディスク（ＣＤ）に記録する画像記録媒体作成手段と、
を有する画像記録媒体作成システムであって、
前記動画像データ作成手段は、前記静止画像が、２４０×３５２ドットを超え、４８０×７８０ドット以下の範囲の解像度にて表示されるような動画像データを作成するものであることを特徴とする画像記録媒体作成システム。
【請求項２】
前記動画像データ作成手段は、前記動画像データを、ＭＰＥＧ方式に準拠する圧縮方式にて圧縮されたＭＰＥＧ動画像データとして作成するものであることを特徴とする請求項１に記載の画像記録媒体作成システム。
【請求項３】
前記動画像データ作成手段は、４８０×７０４ドットの解像度にて前記静止画像を表示するようにした動画像データを作成するものであることを特徴とする請求項１又は２に記載の画像記録媒体作成システム。
【請求項４】
前記画像記録媒体作成手段は、前記動画像データとともに、前記ＪＰＥＧ静止画像データを前記ＣＤに記録するものであることを特徴とする請求項１ないし３のいずれか１項に記載の画像記録媒体作成システム。
【請求項５】
前記動画像データは、複数の前記ＪＰＥＧ静止画像データに基づく複数の異なる静止画像を、それぞれ一定期間順番に表示するようにしたものであることを特徴とする請求項１ないし４のいずれか１項に記載の画像記録媒体作成システム。
【請求項６】
請求項１ないし５のいずれか１項に記載の画像記憶媒体作成システムにより作成されたコンパクトディスクであることを特徴とする画像記録媒体。
【請求項７】
静止画像が少なくとも一定期間連続的に表示されるような動画の動画像データを記録したコンパクトディスクとしての画像記録媒体であって、
前記動画像データは、前記静止画像が、２４０×３５２ドットを超え、４８０×７８０ドット以下の範囲の解像度にて表示されるようにしたものであることを特徴とする画像記録媒体。
【発明の詳細な説明】
【０００１】
【発明の属する技術分野】
本発明は、記録媒体に画像データを記録することで、画像記録媒体を作成する画像記録媒体作成システム及びこれにより作成される画像記録媒体に関する。
【０００２】
【従来の技術】
デジタルカメラにより撮影された画像を、ＣＤに画像データとして記録し、保存することが一般的に行われている。これによれば、写真等の画像の品質を落とさずに、長期間保存することができるとともに、写真にすると約数百枚分の画像データが一枚のＣＤに記録できるため、よりコンパクトに多くの画像を保管することが可能になる。上記の画像データは、デジタルカメラ用のメモリーカードに一旦圧縮された状態で保存され、通常この圧縮された状態のまま、ＣＤに記憶される。この圧縮方式としては、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が採用される。
【０００３】
また、上記のように静止画像を保存するだけではなく、ＣＤに動画像を保存することもできる。例えば、ＣＤにて動画を再生するためのものとして、ＶＣＤ（Ｖｉｄｅｏ  ＣＤ）がある。ＶＣＤへの動画像データの保存は、当該動画像データをＭＰＥＧ（Ｍｏｖｉｎｇ  Ｐｈｏｔｏｇｒａｐｈｉｃ  Ｅｘｐｅｒｔｓ  Ｇｒｏｕｐ）方式、特にＭＰＥＧ−１の方式に準拠する方式で圧縮して行うことができる。なお、動画像データを、同一のフレームが少なくとも一定期間連続的に表示されるようなものとすれば、写真等の画像のように静止して見える画像も再生することができる。これにより、例えばデジタルカメラ等により撮影された複数の静止画像（例えば、ＪＰＥＧ方式により圧縮されている）が、それぞれ一定期間順番に（スライド式に）表示されるような形態の動画像データを、ＶＣＤに記録することもできる。
【０００４】
【発明が解決すべき課題】
しかしながら、ＣＤに前述のように同一の静止画像が連続的に表示されるような動画像データを保存するとしても、ＤＶＤ等に比べるとはるかに解像度は劣り、一般的なＶＣＤでは、２４０×３５２ドットという比較的低い解像度の静止画像を表示するのにとどまっているというのが実情である。
【０００５】
このような問題を鑑みて、本発明は、ＤＶＤディスク等よりも安価なＣＤにより高画質の動画像データを保存することができる画像記録媒体作成システムと、これにより作成される画像記録媒体を提供することを課題とする。
【０００６】
【課題を解決するための手段及び作用・効果】
上記課題を解決するために、本発明の画像記録媒体作成システムは、ＪＰＥＧ方式に準拠する圧縮方式にて圧縮されたＪＰＥＧ静止画像データを、外部機器から読み込む静止画像データ読み込み手段と、
ＪＰＥＧ静止画像データに基づく静止画像を一つのフレームとして、当該フレームと画像が同一のフレームが少なくとも一定期間連続的に表示されるような動画の動画像データを、ＪＰＥＧ静止画像データから作成する動画像データ作成手段と、
作成された動画像データを画像記録媒体としてのコンパクトディスク（ＣＤ）に記録する画像記録媒体作成手段と、
を有する画像記録媒体作成システムであって、
動画像データ作成手段は、静止画像が、２４０×３５２ドットを超え、４８０×７８０ドット以下の範囲の解像度にて表示されるような動画像データを作成するものであることを特徴とする。
【０００７】
上記のような画像記録媒体作成システムの構成によれば、静止画像を同一の画像が連続的に表示されるような動画像として、当該動画像の動画像データをコンパクトディスク（ＣＤ）に保存したとき、当該動画像の解像度がＤＶＤなみのコンパクトディスクを作成することができる。すなわち、従来のＶＣＤよりも静止画像（静止しているように見える動画）の解像度を向上させることができ、より安価なコンパクトディスクにより、より高画質な（ＤＶＤ並みの）静止画像をモニタ等の表示機器に表示させることができる。なお、ＣＤに記録される動画像データは、例えばデジタルカメラやスキャナ等の外部機器から読み込まれた複数のＪＰＥＧ静止画像データに基づく複数の静止画像を、それぞれ一定期間順番に表示するようにしたものとすることができる。これにより、各種静止画像を、スライド形式にて表示することができ、例えば、一連の出来事（例えば子供の成長記録等）を、１枚あるいは複数枚のＣＤに分けて保存しておくことができる。
【０００８】
さらに、動画像データ作成手段は、動画像データをＭＰＥＧ方式に準拠する圧縮方式にて圧縮されたＭＰＥＧ動画像データとして作成するものとすることができる。ＭＰＥＧ方式に準拠する圧縮方式では、ひとつのフレームをフレーム内符号化するとともに、時間軸方向においては動き補償フレーム間予測化により圧縮しているので、静止画像が連続で表示される、つまりフレーム間の差分がないような動画のデータを圧縮する際には、非常に効率のよいデータの圧縮が行われる。そのため、今回のように、静止画像を一定期間連続して表示するような場合には、当該静止画像の解像度を向上させることも可能となる。
さらに、ＭＰＥＧ方式に準拠する方式にて、動画像データがコンパクトディスク（ＣＤ）に記録されるので、当該ＣＤを、例えばＤＶＤプレーヤ等のＭＰＥＧ方式に対応する再生機器により再生することができる。そのため、本発明の画像記録媒体作成システムにより作成された画像記録媒体としてのコンパクトディスクにより、ＤＶＤプレーヤ等を介して、家庭用テレビにより映像を楽しむことができる。なお、ＭＰＥＧ動画像データに基づいて再生される動画像は、複数のＪＰＥＧ静止画像データに基づく静止画像が、一定間隔にて順番に（スライド式に）再生されるものである。
【０００９】
さらに、上記画像記録媒体作成システムおいては、画像記録媒体作成手段は、動画像データとともに、ＪＰＥＧ静止画像データをＣＤに記録するものとしてもよい。このように、例えばＣＤのような画像記録媒体に、画像データとして、ＪＰＥＧ方式にて圧縮されたＪＰＥＧ静止画像データをも、動画像データとともに保存しておけば、例えばＤＶＤプレーヤ等を介して、家庭用テレビでＭＰＥＧ動画像データに基づく動画を鑑賞することができるとともに、パソコン等においては、ＪＰＥＧ静止画像データに基づく静止画像を、鑑賞あるいは編集等することができる。つまり、１枚のＣＤにより、家庭用テレビ及びパソコンの２種類の機器で、画像を楽しむことができる。
【００１０】
さらに、上記本発明の画像記録媒体作成システムにより作成される本発明の画像記録媒体は、静止画像が少なくとも一定期間連続的に表示されるような動画の動画像データを記録したコンパクトディスクとしての画像記録媒体であって、
動画像データは、静止画像が、２４０×３５２ドットを超え、４８０×７８０ドット以下の範囲の解像度にて表示されるようにしたものであることを特徴とする。
このような、本発明のコンパクトディスク（ＣＤ）である画像記録媒体は、ＤＶＤディスクに比べて非常に安価であり、かつ、ＤＶＤに匹敵する高画質の画像を再生することが可能である。また、記録されている動画像データは、例えば、デジタルカメラ等に撮影された画像や、既にプリント出力済みの古い写真等の画像を、一定期間順番に表示するようにしたものとすることができる。
【００１１】
【発明の実施の形態】
以下、本発明の実施の形態を添付の図面を用いて説明する。
まず、図１は本実施例の画像記録媒体作成システムの概要を説明するブロック図である。図１に示す画像記録媒体作成システム１００は、ＣＰＵ１０２、ＲＯＭ１０３、ＲＡＭ１０４及びＨＤＤ１０５を有するコンピュータ１１２を有する。そして、このコンピュータ１１２には、Ｉ／Ｏポート１０１を介して、メモリーカード用スロット１０６（以下、スロット１０６とする）、スキャナ１０８、モニタ１０９、プリンタ１１０及びＣＤレコーダ１１１等の入力機器及び出力機器が接続されて、本発明に画像記録媒体作成システム１００が構成されている。スロット１０６には、メモリーカード１０７が挿入可能とされており、当該メモリーカード１０７には、例えばデジタルカメラ（図示せず）により撮影された画像のＪＰＥＧ静止画像データとしての画像データ（Ａ．ｊｐｇ、Ｂ．ｊｐｇ、Ｃ．ｊｐｇ・・・）が保存されている。これらの画像データ（Ａ．ｊｐｇ、Ｂ．ｊｐｇ、Ｃ．ｊｐｇ・・・）は、デジタルカメラ本体によりＪＰＥＧ方式の圧縮処理が施された状態で保存されている。なお、メモリカード１０７には、様々な方式のものがあるが、これを挿入するスロット１０６は、それぞれの方式にあったものを採用する。なお、メモリーカード１０７に対応するアダプタにメモリーカード１０７を取りつけてスロット１０６に挿入するようにしても良い。
【００１２】
さらに、コンピュータ１１２内のＲＡＭ１０４内には、データ作成プログラムワークエリア１０４ａ、画像データ（ＪＰＥＧ）メモリ１０４ｂ、画像データ編集メモリ１０４ｃ、音声データメモリ１０４ｄ、文字データメモリ１０４ｅアプリケーションメモリ１０４ｆ、編集プログラムワークエリア１０４ｇ、画像データ（ＭＰＥＧ）メモリ１０４ｈ等が割り当てられている。さらに、ＨＤＤ１０５内には、音声データとして音楽データ１、音楽データ２、音楽データ３、・・・等が記憶されている。
【００１３】
次に、図３及び図１を用いて、本発明の画像記録媒体作成システム１００により、画像記録媒体を作成する手順を説明する。画像記録媒体としては、ＣＤ−Ｒの場合について示すが、ＣＤ−ＲＷでもよい。まず、コンピュータ１１２の電源をＯＮにし、図３、Ｓ１のアプリケーションの起動を行う。ここで、スロット１０６から、メモリーカード１０７に記録されている画像データを読み出し、続いて画像の削除・追加及び編集を行ったのち、ＪＰＥＧ方式の画像データからＭＰＥＧ方式の画像データを作成するとともに、作成したＭＰＥＧ動画像データ（ＭＰＥＧ）をＣＤに書きこむまでの処理は、当該Ｓ１において起動されたアプリケーション上で行なわれることになる。アプリケーションが起動すると、当該アプリケーションの操作画面が図１のモニタ１０９に表示される。
【００１４】
Ｓ１の処理後、スロット１０６にメモリーカード１０７が挿入されているかどうかを判断する（Ｓ２）。この判断により、スロット１０６にメモリーカード１０７が挿入されていない場合には、Ｓ３のメモリーカード１０７をスロット１０６に挿入する。このとき、モニタ１０９にメモリカード１０７のスロット１０６への挿入を促す表示がなされる。一方、メモリーカード１０７がスロット１０６に挿入されていることが確認されると、モニタ１０９にメモリーカード１０７の種類の選択画面が表示され、今回挿入したメモリーカード１０７の種類を画面上にて選択する（Ｓ４）。
【００１５】
上記メモリーカード１０７の選択は、選択画面上の対応する位置を作業者が指あるいは専用の支持棒で触れることにより行うことができる（タッチパネル機能）。なお、以降に説明する画像の追加・削除及び編集等など、全ての作業を、モニタ１０９の表示される画面上を、指あるいは専用の支持棒にて触れることにより行うことができる。
【００１６】
Ｓ４において、スロット１０６に挿入されたメモリーカード１０７と同じ種類のものを選択画面上から選択したことが確認されると、当該メモリーカード１０７に保存されているＪＰＥＧ静止画像データ（Ａ．ｊｐｇ、Ｂ．ｊｐｇ、Ｃ．ｊｐｇ・・・）を読み出す（Ｓ５）。このＳ５の処理は、例えばＲＯＭに格納されている前述のアプリケーションソフトに付随しているデータ読み出しプログラムに基づきＣＰＵ１０２により行なわれる。この際、メモリーカード１０７に保存されている画像データのうち、ＪＰＥＧ方式により圧縮されている画像データ（ＪＰＥＧ画像データ）だけを検索して、当該ＪＰＥＧ画像データのみを読み出すように、上記のデータ読み出しプログラムを設定しておく。読み出されたＪＰＥＧ画像データは、図１に示すＨＤＤ１０５に記録されるとともに、ＲＡＭ１０４の画像データ（ＪＰＥＧ）メモリ１０４ｂに一時格納される。そして、図２（ａ）に示すように、各画像データ（Ａ．ｊｐｇ、Ｂ．ｊｐｇ、Ｃ．ｊｐｇ・・・）に基づく画像（１、２、３・・・）が一括して、モニタ１０９に表示される（Ｓ６）。なお、データ読み出しプログラムとＣＰＵ１０２とが静止画像データ読み込み手段とされる。
【００１７】
続いて、Ｓ７において、画像データの追加があるかどうか判断し、さらに画像データの追加がある場合には、図２（ａ）の追加ボタン１０９ｄを選択し、前述のＳ３の工程に移る。これにより、新たにスロット１０６に挿入された別のメモリーカード１０７に保存されているＪＰＥＧ静止画像データが、図４（ａ）に示すように、先に読みこまれたＪＰＥＧ静止画像データとともに、ＲＡＭ１０４の画像データ（ＪＰＥＧ）メモリ１０４ｂに一時記録される。そして、追加されたＪＰＥＧ静止画像データに基づく画像が、図２（ａ）の表示画面１０９ａに、先に読みこまれた画像とともに表示される。
【００１８】
一方、これ以上画像データの追加をしない場合には、Ｓ８において、画像の編集をするかどうかを判断する。画像の編集を行う場合は、以下の各種編集操作を行う（Ｓ９）。まず、各々の画像に文字をつける場合には、図２（ａ）に示す表示画面において、文字の編集を行いたい画像を選択する。具体的には、表示画面１０９ａの操作フレーム１０９ｂに表示されている編集ボタン１０９ｅを押した後、表示されている画像（１、２、３・・・）から編集したい画像を選択する。編集したい画像の選択が終了すると、図２（ｂ）に示すように、選択された画像のみが大きく、モニタ１０９の表示画面１０９ａに表示される（図２（ｂ）は画像１を選択した場合の表示画面１０９ａを示すものである）。そして、画像１に、文字をつける場合には、操作フレーム１０９ｂに表示されている色選択領域１０９ｇにおいて、画像１に合う好みの色を選択し、指或いは専用の指示棒により、表示画面の上をなぞって、画像１上に適宜文字を付与する。文字の付与に際しては、線の太さ領域１０９ｉから適当な線の太さを選択したり、消しゴム１０９ｈ等を適宜選択しながら（場合によっては線の色も変えたりしながら）、好みの文字を形成することができる。また、文字だけではなくて、画像に飾り等を付与することもできる。編集が終了したら保存ボタン１０９ｊを選択して、編集操作を終了する。
【００１９】
なお、本実施の形態の場合、編集操作により付与される文字あるいは画像の飾り等のオブジェクトは、ＪＰＥＧ静止画像データとは別のオブジェクトデータ（例えば、ビットマップデータ）Ｄ１として、図４（ｂ）に示すように各ＪＰＥＧ静止画像データｊｐｇに対応する形態で画像データ編集エリア１０４ｃに保存される。
【００２０】
また、不要な画像を削除する場合には、図２（ａ）に示す表示画面において、操作フレーム１０９ｂ内の削除ボタン１０９ｃを選択したのち、当該表示画面１０９ａ上で不要な画像を、指あるいは専用の支持棒により選択することで行うことができる。この選択により不要と判断された画像に対しては、削除されることを示す旨の表示（例えば×マーク等）が表示画面上に付与される。なお、不要と選択された画像を、再度指あるいは専用の支持棒等にて選択することで、画像の削除を取りやめることができる。このとき、図４（ｂ）に示すように、画像データ（ＪＰＥＧ）編集エリア１０４ｃ上に記録されているＪＰＥＧ静止画像データｊｐｇと対応する形態で、当該画像を記録するかどうかを判断するための記録判断データＤ２を作成する。図４（ｂ）においては、画像を記録する場合（画像が削除されない場合）を０で表し、画像が削除される場合（画像を記録しない場合）を１で表している。そして、ＭＰＥＧ動画像データを作成するときには、この記録判断データＤ２が０のものだけを読み出すようにする。
【００２１】
さらに、Ｓ９の画像の編集処理においては、動画像において再生される静止画像の順番を変更することもできる。つまり、図２（ａ）の表示画面１０９ａにおいて、操作フレーム１０９ｂに表示されている順番ボタン（１０９ｆ）を選択し、その後、順番を入れ替える画像を選択する。そして、入れ替える画像を選択している状態で、操作フレーム１０９ｂ内の「前へ」あるいは「次へ」ボタン１０９ｋを適宜選択することにより、選択した画像を表示画面上で移動させ、好みの順番に設定することができる。このとき（あるいは編集操作が完了したとき）、図４（ｂ）に示すように、設定された順番に基づいて、画像順番データＤ３がそれぞれのＪＰＥＧ画像データｊｐｇに対応する形で形成される。
【００２２】
上記のような一連の編集が終了すれば、図２（ａ）の表示画面において、操作フレーム１０９ｂ内の終了ボタン１０９ｌを選択する。これにより、画像編集操作は終了し、図２（ａ）に示す表示画面は閉じられ、続いて、作成される動画像に背景音楽（ＢＧＭ）を付与するかどうかの判断を促す選択画面が表示される（例えば、「ＢＧＭをつけますか？」、「はい」、「いいえ」のような記載の表示）。ここで、作成される動画像に背景音楽（ＢＧＭ）をつけるかどうか判断し（Ｓ１０）、ＢＧＭをつける場合には、図１に示すＨＤＤ１０５に記録されている音声データとしての複数の音楽データ（音楽データ１、音楽データ２、音楽データ３・・・）が読み出され（Ｓ１２）、表示画面１０９ａに当該音楽データの情報（例えば、題名、演奏時間等）が表示される。これにより、表示された複数の音楽データの情報を参照して、好みの音楽を選択することができる。そして、音楽（ＢＧＭ）が選択されると、選択された音楽の音楽データがＲＡＭ１０４の音楽データメモリ１０４ｄに一時記録される。なお、音声データとしては、音楽だけに限らず、人の声や動物の鳴き声あるいは物音等の音声も採用することができる。
【００２３】
上記のような音楽データの読み込み（Ｓ１２）が終了したり、動画像にＢＧＭを付与したりしない場合には、全ての編集操作が完了されたとみなされ、画像データ編集エリア１０４ｃに格納されている、ＪＰＥＧ静止画像データｊｐｇから、ＭＰＥＧ動画像データをデータ作成手段により作成する。このとき、ＣＰＵにより、例えばＲＯＭ１０３内に格納されている図示しないデータ作成プログラムを読み出し、当該プログラムをＲＡＭ１０４のデータ作成プログラムワークエリア１０４ａで起動させることができる。すなわち、本実施の形態の場合、ＣＰＵ１０２とデータ作成プログラムが動画像データ作成手段とされる。当該動画像データ作成手段は、図４（ｂ）に示すように、画像データ編集エリア１０４ｃに記録されているＪＰＥＧ静止画像データｊｐｇと、前述のオブジェクトデータＤ１と、記録判断データＤ２と、画像順番データＤ３とに基づき、当該ＪＰＥＧ静止画像データｊｐｇに基づく静止画像が、図４（ｃ）に示すように、選択された順番どおりに表示されるようなＭＰＥＧ動画像データ（Ｘ．ｍｐｇ）を作成する。作成されたＭＰＥＧ動画像データは、ＲＡＭ１０４の画像データ（ＭＰＥＧ）メモリ１０４ｈに一時的に記録される（Ｓ１１）。なお、動画像データ作成手段は、４８０×７０４ドットの解像度にて前記静止画像を表示するようにした動画像データを作成するものである。
【００２４】
上記のように、ＭＰＥＧ動画像データが作成されれば、作成されたＭＰＥＧ動画像データを、画像記録媒体としてのＣＤ−Ｒに記録する。まず、図３、Ｓ１３に示すように、図１に示すＣＤレコーダ１１１にＣＤ−Ｒが挿入されているかどうかを確認する。ＣＤレコーダ１１１にＣＤ−Ｒが挿入されていない場合には、モニタ１０９の表示画面にＣＤ−ＲをＣＤレコーダ１１１に挿入するように促す表示がなされる。ＣＤ−ＲがＣＤレコーダに挿入されていたり、Ｓ１４においてＣＤ−Ｒが挿入されると、モニタ１０９の表示画面に、ＣＤ−ＲにＭＰＥＧ動画像データを記録してもよいか確認する確認表示が為され、記録してもよい旨の選択を行うと、画像記録媒体作成手段（ＣＤレコーダ１１１）により、ＣＤ−ＲにＭＰＥＧ動画像データが記録される（Ｓ１５）。このとき、ＣＤ−Ｒには、ＭＰＥＧ動画像データとともに、ＪＰＥＧ静止画像データ及び音楽データ１（ＢＧＭとして音楽データ１を採用した場合）も記録される。なお、ＪＰＥＧ静止画像データｊｐｇは、図４（ｂ）に示す記録判断データＤ２に基づいて、ＭＰＥＧ動画像データ（Ｘ．ｍｐｇ）の作成に用いられているものだけが、記録媒体（ＣＤ−Ｒ）に記録されるようにすることができる。
【００２５】
図５は、作成された画像記録媒体としてのＣＤ−Ｒをそれに記録されてい各種データとともに簡単に説明するものである。前述したように、ＣＤ−Ｒには、ＭＰＥＧ動画像データ（ＭＰＥＧ．ＤＩＲに格納されている）はもとより、ＪＰＥＧ静止画像データ（ＪＰＥＧ．ＤＩＲに格納されている）と音楽データ（ｍｕｓｉｃ．ＤＩＲに格納されている）が記録されている。そして、ＭＰＥＧ動画像データは、音楽データとリンクされており、ＤＶＤプレーヤ等のＭＰＥＧ方式に対応する再生機器により本発明のＣＤ−Ｒを再生すると、ＭＰＥＧ動画像データに基づく動画とリンクして音楽データに基づくＢＧＭが再生されることになる。なお、ＭＰＥＧ動画像データに基づく動画像は、ＪＰＥＧ静止画像データに基づく静止画像が、選択した順番で一定の間隔にて次々と表示されるスライド式の形態で再生される。具体的には、図５のＣＤ−Ｒに記録されているＭＰＥＧ動画像データの場合、ＪＰＥＧ静止画像データのＡ．ｊｐｇに基づく静止画像Ａ’が一定間隔再生された後、Ｂ．ｊｐｇ、Ｃ．ｊｐｇに基づく静止画像Ｂ’、Ｃ’がそれぞれ順番に一定間隔再生される。
【００２６】
また、作成されたＣＤに記録されているＪＰＥＧ静止画像データは、通常の静止画像データとして、パソコン（例えば家庭用パソコン）により編集したり、モニタ上に出力される画像を鑑賞したり、あるいはメール等により画像を送信する等の既知の方法で活用することができる。
このように、本発明の画像記録媒体作成システム１００においては、ＤＶＤプレーヤ等のＭＰＥＧ方式に準拠する再生装置を介してテレビ（例えば、家庭用テレビ）により静止画像のスライドショーを楽しむことができ、かつ、パソコン等により、ＪＰＥＧ静止画像データに基づき、画像の編集、画像の鑑賞等を楽しむことができる画像記録媒体を、より安価なＣＤ（ＣＤ−Ｒ、ＣＤ−ＲＷ）により作成することができる。
【００２７】
上記のような本発明の画像記録媒体作成システムにより、ＤＶＤプレーヤにより解像度４８０×７０４ドットの静止画像が連続的に表示されるような動画像を再生可能なＣＤを作成することができるが、ＭＰＥＧ動画像データのもととなるＪＰＥＧ静止画像データは、上記実施例のようにメモリーカード１０７から読み出されるものだけに限られるものではない。例えば、図１に示すように、コンピュータ１１２に接続される外部機器として、スキャナ１０８を採用し、当該スキャナ１０８により静止画像をＪＰＥＧ方式にて圧縮された静止画像データ（ＪＰＥＧ静止画像データ）として読取り、このＪＰＥＧ静止画像データからＭＰＥＧ動画像データを作成することもできる。具体的には、既にプリント出力（現像）済みの写真の画像をスキャナ１０８により取り込んで、ＣＤにＭＰＥＧ動画像データ及びＪＰＥＧ静止画像データとして保存することができる。
【００２８】
また、コンピュータ１１２にＣＤドライブ１１３を接続し、当該ＣＤドライブ１１３に挿入されるＣＤ（フォトＣＤ、ＣＤ−Ｒ、ＣＤ−ＲＷ等）に保存されているＪＰＥＧ静止画像データを読取り、前述のようにＭＰＥＧ動画像データを作成して、別のＣＤ（ＣＤ−Ｒ、ＣＤ−ＲＷ）に記録することもできる。なお、ＣＤドライブ１１３とＣＤレコーダ１１１とは、一体をなすものとして構成することができる。
【００２９】
上記のような、画像記録媒体作成システム１００は、フォトショップ、コンビニエンスストア、あるいは結婚式場、レジャー施設等の場所に設置されて、その効果を最大限に発揮する。フォトショップあるいはコンビニエンスストア等に設置した場合、古い写真の画像を、ＪＰＥＧ静止画像データおよびＭＰＥＧ動画像データとして、ＣＤに記録するというサービスを行ったり、デジカメにより撮影された画像をプリント出力する代りに（あるいは、プリント出力することに加えて）、当該画像データを、ＣＤに記録するというサービスを行うこともできる。一方、結婚式場やレジャー施設のような場所に設置することにより、式の参加者あるいは観光客等に、本発明のシステムにより作成されたＣＤを、記念として配布する等のサービスを行うことができる。また、式の参加者や観光客に対しては、当該式の参加者や観光客等が撮影する画像を、気分が高揚しているその場で、各種編集を行いながらＣＤに保存し、またその場で見ることができるというサービスを提供することができる。
【００３０】
さらに、本発明の画像記録媒体作成システム１００は、携帯可能なものとすることができる。このようにすれば、例えば観光バス等の中に容易に設置することができる。本発明の画像記録媒体作成システム１００を観光バス内に設置することにより、以下のようなサービスを行うことができる。すなわち、観光客あるいは添乗員が観光地にてデジタルカメラで（添乗員が観光客にデジタルカメラを貸し出したり、あるいは観光客が持っている自前のデジタルカメラを用いて）撮影した画像の画像データを、次の観光地への移動中に、観光バスの中でＣＤにＭＰＥＧ方式に準拠する圧縮方式で記録し、作成されたＣＤを観光客に配布することができる。また、観光バスの中にＤＶＤプレーヤ及びテレビを設置しておいて、作成されたＣＤを、ＤＶＤプレーヤにより再生することで、観光バスの移動中にデジタルカメラで撮影したばかりの画像をスライド式の形態で楽しむこともできる。
【図面の簡単な説明】
【図１】本発明の画像記録媒体作成システムの概略を示す説明図。
【図２】静止画像を編集する際の表示画面を示す図。
【図３】画像記録媒体の作成工程を示すフローチャート。
【図４】ＪＰＥＧ静止画像データからＭＰＥＧ動画像データを作成する処理を説明する図。
【図５】本発明の画像記録媒体を示す図。
【符号の説明】
１００  画像記録媒体作成システム
１０２  ＣＰＵ（静止画像データ読み込み手段、動画像データ作成手段）
１１１  ＣＤレコーダ（画像記録媒体作成手段）
１１４  ＣＤ−Ｒ（画像記録媒体）
【図１】
2004193772.tif 000003
【図２】
2004193772.tif 000004
【図３】
2004193772.tif 000005
【図４】
2004193772.tif 000006
【図５】
2004193772.tif 000007